(57)【特許請求の範囲】
【請求項１】
基地局信号を処理するワイヤレス通信システムの遠隔ユニットによって使用する方法であり、
前記遠隔ユニットに割り当てられたスロットの間にメッセージのシーケンスのエレメントを受信することであって、前記メッセージのシーケンスが前記遠隔ユニットの動作モードを非動作モードに遷移するためのゼネラルページングメッセージ(general paging message)を含むことと、
前記エレメントがゼネラルページングメッセージか否かを決定することと、
前記エレメントがゼネラルページングメッセージでない場合に、前記スロットの間、更に前記エレメントがゼネラルページングメッセージの後にのみ発生するタイプのものであるか否かを決定することと、
前記エレメントがゼネラルページングメッセージの後にのみ発生するタイプのものであるとき、前記遠隔ユニットを非動作モードに変更することと、を具備している方法。
【請求項２】
前記遠隔ユニットは、前記受信より前に動作モードに遷移する、請求項１に記載の方法。
【請求項３】
前記エレメントがゼネラルページングメッセージであるとき前記遠隔ユニットの動作モードを変更すること、を更に具備している請求項１に記載の方法。
【請求項４】
前記エレメントがゼネラルページングメッセージであるとき、前記遠隔ユニットを非動作モードに遷移すること、を更に具備している請求項１に記載の方法。
【請求項５】
前記エレメントがゼネラルページングメッセージの後にのみ発生するタイプのものであるとき、前記遠隔ユニットを非動作モードに遷移すること、を更に具備している請求項１に記載の方法。
【請求項６】
通信システムの使用のための遠隔ユニットであり、
前記遠隔ユニットに割り当てられたスロットの間にメッセージのシーケンスのエレメントを受信するように構成された受信器であって、前記メッセージのシーケンスが前記遠隔ユニットの動作モードを非動作モードに遷移するためのゼネラルページングメッセージを含む受信器と、
前記エレメントがゼネラルページングメッセージであるか否かを決定するように構成され、且つ、前記エレメントがゼネラルページングメッセージでないときに、前記エレメントが前記シーケンスのゼネラルページングメッセージの後にのみ発生するタイプのものであるか否かを決定するように構成されたコントローラと、を具備し、
前記コントローラは、前記エレメントがゼネラルページングメッセージの後にのみ発生するタイプのものであるとき、前記遠隔ユニットを非動作モードに遷移するように更に構成されている、遠隔ユニット。
【請求項７】
前記コントローラは、前記エレメントがゼネラルページングメッセージであるとき、前記遠隔ユニットを非動作モードに遷移するために更に構成されている、請求項６に記載の遠隔ユニット。
【請求項８】
通信システムの使用のための遠隔ユニットであり、
前記遠隔ユニットに割り当てられたスロットの間にインターリーブされた形態のメッセージのシーケンスのエレメントを受信するように構成された受信器であって、前記メッセージのシーケンスが前記遠隔ユニットの動作モードを非動作モードに遷移するためのゼネラルページングメッセージを含むことと、前記シーケンスが固定の順番のエレメントタイプのものである受信器と、
前記受信器に結合され、インターリーブされた形態で受信された前記エレメントをデインターリーブするように構成されたデインターリーバと、
前記エレメントがゼネラルページングメッセージであるか否かを決定するように構成されたコントローラと、
前記エレメントがゼネラルページングメッセージでないときに、前記エレメントが前記シーケンスのゼネラルページングメッセージの後にのみ発生するタイプのものであるか否かを決定するように構成されたメッセージモニタと、を具備し、
前記コントローラは、前記エレメントがゼネラルページングメッセージの後にのみ発生するタイプのものであるとき、前記遠隔ユニットを非動作モードに遷移するために更に構成されている、遠隔ユニット。
【請求項９】
前記コントローラは、前記エレメントがゼネラルページングメッセージであるときに前記遠隔ユニットを非動作モードに遷移するために更に構成されている、請求項８に記載の遠隔ユニット。
【請求項１０】
前記メッセージモニタは前記コントローラの一部である、請求項８に記載の遠隔ユニット。
【請求項１１】
インターリーブされた形態のメッセージのシーケンスを送信する基地局を有した通信システムの使用のための遠隔ユニットであって、前記シーケンスは固定の順番のエレメントタイプのものであり、
前記遠隔ユニットに割り当てられたスロットの間に前記シーケンスのエレメントを受信するように構成された受信器であって、前記メッセージのシーケンスが前記遠隔ユニットの動作モードを非動作モードに遷移するためのゼネラルページングメッセージを含む受信器と、
前記受信器に結合され、インターリーブされた形態で受信された前記エレメントをデインターリーブするように構成されたデインターリーバと、
前記エレメントがゼネラルページングメッセージであるか否かを決定するように構成され、且つ、前記エレメントがゼネラルページングメッセージでないときに、前記エレメントが前記シーケンスのゼネラルページングメッセージの後にのみ発生するタイプのものであるか否かを決定するために更に構成されたコントローラと、を具備し、
前記コントローラは、前記エレメントがゼネラルページングメッセージの後にのみ発生するタイプのものであるとき、前記遠隔ユニットを非動作モードに遷移するために更に構成されている、前記遠隔ユニット。
【請求項１２】
前記コントローラは、前記エレメントがゼネラルページングメッセージであるとき、前記遠隔ユニットを非動作モードに遷移するために更に構成されている、請求項１１に記載の遠隔ユニット。
【請求項１３】
通信システムの使用のための遠隔ユニットであり、
前記遠隔ユニットに割り当てられたスロットの間にインターリーブされた形態のメッセージのシーケンスのエレメントを受信する受信手段であって、前記メッセージのシーケンスが前記遠隔ユニットの動作モードを非動作モードに遷移するためのゼネラルページングメッセージを含むことと、前記シーケンスが固定の順番のエレメントタイプのものである受信手段と、
インターリーブされた形態で受信された前記エレメントをデインターリーブする手段と、
前記エレメントがゼネラルページングメッセージであるか否かを決定する手段と、
前記エレメントがゼネラルページングメッセージでなければ、前記エレメントが前記シーケンスのゼネラルページングメッセージの後にのみ発生するタイプのものであるか否かを更に決定する手段と、
前記エレメントがゼネラルページングメッセージの後にのみ発生するタイプのものであるとき、前記遠隔ユニットを非動作モードに遷移する手段と、を具備している遠隔ユニット。
【請求項１４】
インターリーブされた形態のメッセージのシーケンスを送信する基地局を有するワイヤレス通信システムの使用のための遠隔ユニットによって基地局信号を処理する方法であって、前記シーケンスが固定の順番のエレメントタイプであって、
前記遠隔ユニットに割り当てられたスロットの間にメッセージの前記シーケンスのエレメントを受信することであって、前記メッセージのシーケンスが前記遠隔ユニットの動作モードを非動作モードに遷移するためのゼネラルページングメッセージを含む前記シーケンスのエレメントを受信することと、
前記エレメントがゼネラルページングメッセージであるか否かを決定することと、
前記エレメントがゼネラルページングメッセージでなければ、前記エレメントが前記シーケンスのゼネラルページングメッセージの後にのみ発生するタイプのものであるか否かを更に決定することと、
前記エレメントがゼネラルページングメッセージの後にのみ発生するタイプのものであるとき、前記遠隔ユニットを非動作モードに変更することと、を具備している前記方法。
【請求項１５】
前記遠隔ユニットは、前記受信より前に動作モードに遷移する、請求項１４に記載の方法。
【請求項１６】
前記エレメントがゼネラルページングメッセージであるとき、前記遠隔ユニットの動作モードを変更すること、を具備している請求項１４に記載の方法。
【請求項１７】
前記エレメントがゼネラルページングメッセージであるとき、前記遠隔ユニットを非動作モードに遷移すること、を具備している請求項１４に記載の方法。
【請求項１８】
前記エレメントがゼネラルページングメッセージの後にのみ発生するタイプのものであるとき、前記遠隔ユニットを非動作モードに変更すること、を具備している請求項１４に記載の方法。
【発明の詳細な説明】
【０００１】
発明の分野
本発明はワイヤレス通信システムに関する。より詳細には、本発明は、ワイヤレス通信システムの遠隔ユニットによって弱い信号対雑音環境に於けるゼネラルページングメッセージを効率的に検出することに関する。
【０００２】
発明の背景
ワイヤレス通信システムは、マルチ遠隔ユニットとマルチ基地局とを備えても良い。図１は、３つの遠隔ユニット１０Ａ、１０Ｂ及び１０Ｃと、２つの基地局とを有する地球上のワイヤレス通信システムの１つの実施の形態を典型的に示した図である。図１に於いて、上記３つの遠隔ユニットが、ワイヤレスローカルループまたはメータリーディングシステムにて見られるような車１０Ａ、ポータブルコンピュータ遠隔１０Ｂ、及び固定局ユニット１０Ｃに取付けられた移動可能な電話ユニットとして示される。遠隔ユニットは、通信ユニット等の何れのタイプでも良く、例えばハンドヘルドパーソナル通信システムユニット、パーソナルデータアシスタント等のポータブルデータユニット、またはメータリーディング装置等の固定局データユニットである。図１は、基地局１２から遠隔ユニット１０へのフォワードリンク１４と、前記遠隔ユニット１０から前記基地局１２へのリバースリンク１６を示している。
【０００３】
ワイヤレスチャネルを通じて、遠隔ユニットと基地局間の通信は、制限された周波数スペクトル内で多数のユーザを円滑にする種々の多元接続技術の１つを使用して達成することができる。これらの多元接続技術は、時分割多元接続（ＴＤＭＡ）、周波数分割多元接続（ＦＤＭＡ）、及びコード分割多元接続（ＣＤＭＡ）を含んでいる。ＣＤＭＡ用の工業規格は、以下に示され、ＴＩＡ／ＥＩＡ  Ｉｎｔｅｒｉｍ  Ｓｔａｎｄａｒｄ  ｅｎｔｉｔｌｅｄ  “Ｍｏｂｉｌｅ  Ｓｔａｔｉｏｎ  −  Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ”，ＴＩＡ／ＥＩＡ／ＩＳ−９５，及びその結果（ＩＳ−９５として総称される）、その内容はこれら全体に於いてここで参照されることによって具体化される。ＣＤＭＡ通信システムに関する付加的な情報は、ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮ  ＳＹＳＴＥＭ  ＵＳＩＮＧ  ＳＡＴＥＬＬＩＴＥ  ＯＲ  ＴＥＲＲＥＳＴＲＩＡＬ  ＲＥＰＥＡＴＥＲＳと題される米国特許第４，９０１，３０７に開示されており、（‘３０７特許）本発明の譲受人に譲り受けられ、参考文献によりここにその全体が組み込まれる。
【０００４】
‘３０７特許に於いて、多元接続技術は、大多数の移動可能な電話システムユーザの各々が無線電話機を有しており、ＣＤＭＡ拡散スペクトル通信信号を使用する基地局を介して通信される。前記ＣＤＭＡ変調技術は、ＴＤＭＡ及びＦＤＭＡ等のワイヤレス通信システムにて使用された他の変調技術を通じて多くの利益を提供する‘３０７特許に開示されている。例えば、ＣＤＭＡはマルチ時間を縮めるべく周波数スペクトルを許可し、これによりシステムユーザキャパシティの増加を可能にする。加えて、ＣＤＭＡ技術のユーザは、その利益を利用している間もマルチパスの副作用、例えばフェージングの軽減に打ち勝つべく地球上のチャネルの特有の問題を許可する。
【０００５】
ワイヤレス通信システムに於いて、信号は、基地局と遠隔ユニット間を伝搬するように幾つかの識別可能な伝搬パスを伝えても良い。前記ワイヤレスチャネルの特性によって発生されたマルチパス信号は、前記通信システムに対する課題を表している。マルチパスチャネルの１つの特性は、前記チャネルを介して送信される信号にて導かれた時間の広がりである。例えば、理想的なインパルスがマルチパスチャネルを通じて送信されると、受信された信号はパルスのストリームとして現れる。前記マルチパスチャネルの別の特性は、前記チャネルを介した各々のパスが異なった減衰定数を生じても良いことである。例えば、理想的なインパルスは、マルチパスチャネルを通じて送信されると、複数のパルスの受信されたストリームの各々のパルスが他の受信されたパルスより強い異なった信号を大抵有している。前記マルチパスチャネルの更に別の特性は、前記チャネルを介した各々のパスが前記信号の異なった位相を生じ得る。例えば、理想的なインパルスがマルチパスチャネルを通じて送信されると、パルスの受信されたストリームの各々のパルスは他の受信されたパルスと異なった位相を大抵有している。
【０００６】
前記ワイヤレスチャネルに於いて、前記マルチパスは、例えば、ビル、木々、車及び人々等の環境に於ける障害からの信号の反射によって作り出される。したがって、前記ワイヤレスチャネルは、マルチパスを作り出す構造の相対的な動きに払われるべく一般に時間変化するマルチパスチャネルである。例えば、理想的なインパルスが時間変化するマルチパスチャネルを通じて送信されると、受信されたパルスのストリームは、前記理想的なインパルスが送信された時間の要因として、時間遅延、減衰及び位相を変化させる。
【０００７】
チャネルのマルチパス特性は前記遠隔ユニットによって受信された信号に影響を及ぼし得ると共に、他のものに混ざって、信号のフェージングという結果になる。フェージングは、マルチチャネルの位相特性の結果として生じるものである。フェードは、マルチパスベクトルが有害に付加したときに生じ、形を変えられる受信された信号は個々の何れのベクトルよりも小さい振幅である。例えば、サイン波は２つのパスを有するマルチパスチャネルを介して送信されるもので、ここで第１のパスはＸｄＢの減衰定数、Θラジアンの移相を有するδの時間遅延を有し、第２のパスはＸｄＢの減衰定数、Θ＋πラジアン移相を有するδの時間遅延を有し、無信号は、等しい振幅及び反対位相、互いに相殺される、２つの信号によって、チャネルの出力で受信される。故に、フェージングはワイヤレス通信システムの能力の厳しい負の効果である。
【０００８】
ＣＤＭＡ通信システムは、マルチパス環境の動作のために最適化される。例えば、フォワードリンク及びリバースリンク信号は、高周波数疑似雑音（ＰＮ）シーケンスを伴って変調される。前記ＰＮ変調は、“レイク”受信器設計の使用を介して別々に受信されるべく同じ信号の多くの異なったマルチパスの例を許容する。レイク受信器に於いて、復調エレメントのセット内の各々のエレメントは、信号の個々のマルチパスの例に割り当てることができる。前記復調エレメントの復調出力は、結合された信号を発生するために結合される。故に、マルチパス信号の例の全ては、前記結合された信号が深いフェードに直面する前に一緒に減衰しなければならない。
【０００９】
ＣＤＭＡ、ＩＳ−９５用の工業規格に基づいた通信システムに於いて、マルチ基地局の各々は、共通のＰＮシーケンスを有するパイロット信号を送信する。各基地局は、前記信号が遠隔ユニットで互いに区別することができるので、隣接する基地局から時間を合わせてオフセットする前記パイロット信号を送信する。何れかの与えられた時間で、前記遠隔ユニットは、マルチ基地局からパイロット信号の変化を受信し得る。ローカルＰＮジェネレータにより生成された前記ＰＮシーケンスのコピーを使用して、全体のＰＮスペースは前記遠隔ユニットによって検索することができる。検索の結果を使用して、前記遠隔ユニットのコントローラは、オフセットの時間に基づいてマルチベースからのパイロット信号を区別する。
【００１０】
前記コントローラは、有効なマルチパス信号例に復調エレメントを割り当てるために使用される。検索エンジンは、受信された信号のマルチパスコンポーネンツに関係するコントローラにデータを提供するために使用される。前記検索エンジンは、着信時間と、前記基地局によって送信されたパイロット信号の前記マルチパスコンポーネンツの振幅を計測する。共通の基地局によって送信された前記データ信号及び前記パイロット信号上のマルチパス環境の影響は、同時に同じチャネルを介して進む信号によって非常に類似したものである。それ故、前記パイロット信号のマルチパス環境の影響を決定することは、前記データチャネルマルチパス信号例に復調エレメントを割り当てるために前記コントローラを許可する。
【００１１】
前記検索エンジンは、ポテンシャルＰＮオフセットのシーケンスを介して検索することにより、且つ、前記ポテンシャルＰＮオフセットの各々で受信された前記パイロット信号のエネルギーを計測することによって、前記遠隔ユニットの付近の基地局の前記パイロット信号の前記マルチパスコンポーネンツを決定する。前記コントローラは、ポテンシャルオフセットに関係のあるエネルギーを判断し、且つ、スレッショルドを超えたならば、そのオフセットに信号復調エレメントを割り当てる。検索者エネルギーレベルに基づいた復調エレメント割り当てのための方法及び装置が、本発明の譲受人に譲り受けられた、ＤＥＭＯＤＵＬＡＴＩＯＮ  ＥＬＥＭＥＮＴ  ＡＳＳＩＧＮＭＥＮＴ  ＩＮ  Ａ  ＳＹＳＴＥＭ  ＣＡＰＡＢＬＥ  ＯＦ  ＲＥＣＥＩＶＩＮＧ  ＭＵＬＴＩＯＬＥ  ＳＩＧＮＡＬＳと題された米国特許第５，４９０，１６５（‘１６５特許）に開示されている。
【００１２】
図２は遠隔ユニットで着信する基地局からの単一のパイロット信号のマルチパス信号例の典型的な例のセットを示している。垂直軸は、受信されたパワーをデシベル（ｄＢ）で表している。水平軸は、マルチパス遅延に払われるべく信号例の着信時間の遅延を表している。そのページの軸（図示せず）は、時間をセグメントで表している。前記ページの共通面内の各信号スパイクは、異なった時間で前記基地局によって送信されているが、共通の時間で前記遠隔ユニットで着信された。各信号スパイク２２〜２７は異なったパスで進み、それ故、異なった時間遅延、異なった振幅、そして異なった位相反応を示している。６つの異なった信号スパイク２２〜２７は、厳しいマルチパス環境の代表値である。通常の都市の環境は、少数の人々の有効なパスを生成する。前記システムのノイズフロアは低いエネルギーレベルを有するディップ及びピークによって表される。前記検索エンジンのタスクは、水平軸で計測されるように遅延を識別するためのもの、及び、垂直軸で計測されるようにポテンシャル復調エレメント割当てのための信号スパイク２２〜２７の振幅である。
【００１３】
図２に示されるように、前記マルチパスピークの各々は、各マルチパスピークの一様でないリッジにより示されるように、時間の関数としての振幅が異なる。示された一定時間に於いて、それらは前記マルチパスピークの重要な変化ではない。更なる延長された時間範囲に渡り、マルチパスピークは消滅して新しいパスが時間が進行するにつれ作り出される。マルチパスピークは、時間が経つとワイドピークにぼやけさせるか、または合同するために適当なものである。
【００１４】
代表的に、検索エンジンのオペレーションは、コントローラによって監視される。前記コントローラは、検索ウィンドウと称される、オフセットのセットを介して進むために前記検索エンジンを命令し、復調エレメントに割り当てるための適切な１つ以上のマルチパス信号ピークを含むために適当なものである。各オフセットのため、前記コントローラにオフセットバックを見い出すエネルギーを前記検索エンジンは報告する。復調エレメントは、前記検索エンジンによって確認されたパスに、前記コントローラによって割り当てることができる（すなわち、これらのＰＮジェネレータの基準時間は、確認されたパスのタイミングで位置合わせされる）。一旦、復調エレメントは前記信号にロックされると、前記復調エレメントが前記コントローラによって別のパスに割り当てられるまで、または前記パスが少しずつ消えてゆくまで、コントローラの監視が無くそのパスを追跡している。
【００１５】
前述したように、与えられた地理的範囲内の各基地局は、共通のパイロットシーケンスのシーケンスオフセットが割り当てられる。例えば、ＩＳ−９５に従って、２15チップ（すなわち、ＰＮシーケンスに於ける１ビット）を有すると共に２６．６６ミリ秒（ｍｓ）毎に繰り返されるＰＮシーケンスは、パイロット信号のように５１２ＰＮシーケンスオフセットの１つでシステムに於いて各基地局によって送信される。ＩＳ−９５オペレーションに従って、前記基地局は、例えば、基地局タイミングに対する遠隔ユニットタイミングの同期化及び遠隔ユニットが動作されるマルチパス環境を決定するような他の機能と同様に基地局を識別するために前記遠隔ユニットにより使用することができる前記パイロット信号を連続的に送信する。
【００１６】
最初のパワーオン、または何れか他の状況の間に、前記遠隔ユニットは、異なった動作周波数にこのようなハンドオフを実行するときのようなパイロット信号を失うと、遠隔ユニットが前記パイロットＰＮシーケンスの全て可能なＰＮオフセットを評価する。代表的に、検索エンジンは、対応するオフセットで表されるパイロット信号の正確な計測を作り出すその計測比で進め、全ての可能なＰＮオフセットでのパイロット信号強度を計測する。この方法の手順で、前記検索エンジンは前記遠隔ユニットに地理的に近い基地局のＰＮオフセットを決定する。この方法の各ＰＮオフセットを検索することは、取得する間チャネル状態に依存して１００ミリ秒から数秒は、得ることができる。パイロット信号を再び取得するために前記遠隔ユニットのためのこの時間は、遠隔ユニットオペレーションに不利なものであり、前記遠隔ユニットのユーザに面倒なものとなる。
【００１７】
図３は、水平軸上のＰＮスペースの延長した部分を示している。ピーク３０、３２、３４の３つのグループは、３つの異なった基地局からの通信を表している。図示されるように、各基地局信号からの信号は、異なったマルチパス環境を経験する。また、各基地局は、ＰＮ基準３６からの異なったＰＮオフセットを有している。故に、前記コントローラは、識別された基地局の何れかの検索ウィンドウに対応するＰＮオフセットのセットを選択しても良い。これは、適当に復調エレメントを割り当てることによって、マルチ基地局からの信号を同時に復調するために前記遠隔ユニットを許可する。
【００１８】
代表的なＣＤＭＡ通信システムに於いて、遠隔ユニットは、基地局を有した二方向通信を散発的に高める。例えば、携帯電話機は、プロセスに於いてコールがないとき、重要な時間帯のためのアイドルを残す。しかしながら、遠隔ユニットに直接何れかのメッセージが受信されたことを確実にするために、前記遠隔ユニットは、アイドルが一様な時間、通信チャネルを連続的にモニタする。例えば、アイドル期間、前記遠隔ユニットは、前記基地局からかかってきた電話を検出するために、フォワードリンクチャネルをモニタする。このようなアイドル期間、前記遠隔ユニットは、前記基地局からの信号をモニタするために必要なエレメントを支持するためのパワーを消費するために継続する。多くの遠隔ユニットが持ち運び可能であり、且つ、内部バッテリによって動作される。例えば、パーソナル通信システム（ＰＣＳ）ハンドセットは、大抵独占的に電池式である。アイドルモードに於ける前記遠隔ユニットによるバッテリリソースの消費は、コールが認められるかまたは受信されたとき、前記遠隔ユニットに有効なバッテリリソースは減少する。それ故、それがアイドル状態に於いて遠隔ユニットのパワーの消費を最小限にするために望ましいものであり、これによっりバッテリの寿命が増える。
【００１９】
通信システムの遠隔ユニットパワー消費を低減させる１つの手段は、本発明の譲受人に譲り受けられ、ＡＰＰＡＲＡＴＵＳ  ＡＮＤ  ＭＥＴＨＯＤ  ＦＯＲ  ＲＥＤＵＣＩＮＧ  ＰＯＷＥＲ  ＣＯＮＳＵＭＰＴＩＯＮ  ＩＮ  Ａ  ＭＯＢＩＬＥ  ＣＯＭＭＵＮＩＣＡＴＩＯＮ  ＲＥＣＥＩＶＥＲと題された、米国特許第５，３９２，２８７（‘２８７特許）に開示されており、参考文献によりここにその全体が組み込まれる。‘２８７特許に於いて、アイドルモード（すなわち、遠隔ユニットが、基地局を有した二方向通信に於いて話し中でない）に於いて動作する遠隔ユニットのパワー消費を低減するための技術が開示されている。アイドルに於いて、各遠隔ユニットは、準備する間の“動作”状態に定期的に入り、且つ、フォワードリンク通信チャネルのメッセージを受信する。連続的な動作状態の間の期間に於いて、前記遠隔ユニットは“非動作”状態に入る。前記遠隔ユニットの非動作状態の間、前記動作状態にて前記システムの他の遠隔ユニットにメッセージを送ることはできても、前記基地局はその遠隔ユニットに何れのメッセージも送れない。
【００２０】
‘２８７特許に開示されるように、基地局は、“ページングチャネル”の基地局対象地域内の全ての遠隔ユニットによって受信されるメッセージを放送する。前記基地局対象地域内の全てのアイドル遠隔ユニットは、前記ページングチャネルをモニタする。前記ページングチャネルは、“スロット”の連続的なストリーム中の時間領域に分割される。スロットモードにて動作する各遠隔ユニットは、割り当てられたスロットのようにそれに割り当てられたされた特定のスロットのみモニタする。前記ページングは、番号付けられたスロット内のメッセージを連続的に送信し、例えば、６４０スロット毎に等のスロットシーケンスを繰り返す。遠隔ユニットが基地局の対象地域に入ったとき、または遠隔ユニットが最初にパワーオンされると、好ましい基地局にその居場所を通信する。代表的に、前記好ましい基地局は、前記遠隔ユニットによって計測されたように最も強うパイロット信号を有する基地局である。
【００２１】
複数の地理的に近くに隣接する基地局と共に好ましい基地局は、モニタするために前記遠隔ユニット用の、それぞれのページングチャネル内の１つのスロットまたは複数のスロットを割り当てる。前記基地局は、必要であれば、遠隔ユニットに制御情報を送信するために、前記ページングチャネルのスロットを使用する。前記遠隔ユニットは、前記時間領域に於いて、基地局スロットタイミングに合わせるために前記遠隔ユニットを許可する前記好ましい基地局からのタイミング信号をもモニタしても良い。前記好ましい基地局スロットタイミングに前記時間領域にて合わせることによって、前記遠隔ユニットはページングチャネルスロットシーケンスが開始するとき決定することができる。故に、前記ページングチャネルスロットシーケンスの開始を知ると、そのスロットはモニタするためにそれ用に割り当てられ、スロットの反復的なページングチャネルシーケンスに於けるスロットの総数、及び各スロットの期間、前記遠隔ユニットはその割り当てられたスロットが生じると決定することが可能となる。
【００２２】
一般的に、前記基地局は前記遠隔ユニットの割り当てられたセット内ではないスロットのページングチャネルに送信される間、非動作状態に於けるものである。前記非動作状態の間、前記遠隔ユニットは、前記基地局によって送信されたタイミング信号をモニタせず、内部クロックソースを使用してスロットタイミングを維持する。したがって、前記非動作状態に於いて、前記遠隔ユニットは、例えば、前記検索エンジンを含むワイヤレスチャネルに於いて変化を検出するために基地局によって送信されたパイロット信号をモニタする回路構成等の選択された回路構成からパワーを除去しても良い。その内部のタイミングを使用して、前記遠隔ユニットは、割り当てられたスロットの次の出来事より前の短い時間帯、その動作状態に遷移する。
【００２３】
動作状態に遷移するとき、前記遠隔ユニットは前記検索エンジンを含むワイヤレスチャネルをモニタする回路構成にパワーを供給する。前記検索エンジンは、前記好ましい基地局のパイロット信号を再び得るため、及び前記基地局の対象地域内で目標物の移動、または遠隔ユニットの移動に払われるべく発生したワイヤレスチャネルの変化を検出するために使用される。前記パイロット信号を再び得るために、加えて、前記遠隔ユニットは、その割り当てられたスロットの開始でのメッセージを受信することの準備に於いて何れか他の行動または初期化を実行しても良い。
【００２４】
前記遠隔ユニットが動作状態に入るとき、前記ページングチャネルに於いて割り当てられたスロットのメッセージを受信すると共に、前記基地局からのコマンドに応答しても良い。例えば、前記遠隔ユニットは、かかってきた電話に応答する次のボイス通信を導くための二方向通信リンクを高めるため、“トラフィック”チャネルを作動させるために命令することができる。前記基地局からのメッセージがない、または動作のままであるために前記遠隔ユニットを要求するコマンドがない場合、割り当てられたスロットのエンドで、前記遠隔ユニットは非動作状態に戻る。加えて、前記遠隔ユニットは、前記基地局によってコマンドされると、直ちに前記非動作状態に戻る。
【００２５】
その割り当てられたスロットの間、前記遠隔ユニットの検索エンジンは、隣接する基地局のパイロット信号の強度と同様に好ましい基地局のパイロット信号強度を計測する。前記遠隔ユニットが、１つの基地局の対象地域から別の隣接する基地局の対象地域に再移動すると、前記遠隔ユニットは前記隣接する基地局に“ハンドオフ”を必要とする。隣接する基地局の送信されたパイロット信号強度が前記好ましい基地局よりも十分に強くなると、ハンドオフが生じる。これが生じたとき、隣接する基地局は好ましい基地局として割り当てられる。次の動作状態に於いて、続くハンドオフは、前記遠隔ユニットが、メッセージ及びコマンドを受信するために新たな好ましい基地局のページングチャネルをモニタする。
【００２６】
ハンドオフが生じたときに決定するためのデータを提供することに加えて、好ましい基地局のパイロット信号の検索は、マルチパス環境の変化のための補償を調整するために前記遠隔ユニットを許可する。例えば、前記マルチパス信号例の１つが使用できないポイントまで衰弱すると、前記遠隔ユニットは適宜復調エレメントを再割当てしても良い。
【００２７】
基地局の隣接するセットと同様に好ましい基地局の公称のＰＮオフセットを知って、前記コントローラは、見い出されるべく有望なパイロット信号のマルチパス信号例でのＰＮオフセットを明記する検索エンジンに検索パラメータのセットを代表的にパスさせる。前記検索の終了で、前記検索エンジンは前記コントローラに検索結果を渡す。前記コントローラは、検索結果を分析して次の検索のために検索パラメータのセットを検索する。新たな検索パラメータの以下の選択で、前記コントローラは前記検索エンジンにパラメータを渡し、検索プロセスは繰り返される。このプロセスは、再度遠隔ユニットが非動作、アイドル状態に入るまで、繰り返される。
【００２８】
割り当てられたスロットの間に、前記基地局は、他のメッセージタイプと同様にゼネラルページングメッセージを送る。全てのメッセージがスロッテッドモードにて動作する遠隔ユニットに指向されたか否か、現在のスロットの動作がこのゼネラルページングメッセージのエンドによって送られたか否か、全ての放送メッセージが現在のゼネラルページングメッセージのエンドによって送られたか、遠隔ユニットのクラスがアドレスされ、サービスオプションリクエストが特定の遠隔ユニットに指向され、及びＩＳ−９５に詳述されたそれらのような他のメッセージ、等の情報を前記ゼネラルページングメッセージが伝える。
【００２９】
遠隔ユニット特定でないか、または放送メッセージが割り当てられたスロット時間のために有効であるとき、前記基地局はエンプティゼネラルページングメッセージを送る。前記エンプティゼネラルページングメッセージに応答して、前記遠隔ユニットは非動作状態に容易に戻る。
【００３０】
低い信号対雑音比で動作する遠隔ユニットが前記ページングチャネルを通じて送られたメッセージの一部を受信することができないときに、問題が生じることがある。例えば、弱い信号対雑音比環境に於いて動作する遠隔ユニットが割り当てられたスロットの間動作状態に入ると、前記ゼネラルページングメッセージを正確に受信することができず、現在のスロットの終了まで動作状態に残ってしまう。
【００３１】
前述したように、前記遠隔ユニットは非動作状態に於いて低いパワーを要求している。故に、それが非動作状態に於ける時間と同じ量を費やすことが可能な遠隔ユニットのために有利なものである。前記遠隔ユニットがエンプティゼネラルページングメッセージを正確に受信することがなければ、現在のスロットのエンドまで動作状態に不必要に残り、故にメッセージなしが前記遠隔ユニットに送られる期間リソースを消費している。それ故、これらは弱い信号対雑音環境でさえ可能な限り早く非動作状態に入ることによってスロッテッドモードで動作する遠隔ユニットのパワーの消費を低減するため技術的に必要なものである。
【００３２】
発明の適用
本発明は、ゼネラルページングメッセージを検出するための方法及び装置に指向される。本発明の１つの目的に於いて、本発明は弱い信号対雑音比環境でも遠隔ユニットの平均パワー消費を低減するために使用することができる。スロッテッドモード通信システムに於いて、遠隔ユニットは、動作と非動作状態の間で交互のものとなる。前記遠隔ユニットが動作状態のとき、ワイヤレスチャネルをモニタして基地局からメッセージを受信する。その動作状態の終了で、基地局によって命令されるかその割り当てられたスロットのエンドに達するかの何れかであるとき、前記遠隔ユニットは非動作状態に入る。非動作状態の間、前記遠隔ユニットは、例えばワイヤレスチャネルをモニタするために使用される回路構成等の、選択された回路構成からのパワーを取り除くことによってパワー消費を低減する。
【００３３】
本発明の１つの目的に従った遠隔ユニットによる基地局信号を処理する方法は以下を含む、基地局からのメッセージのシーケンスを送信する、前記遠隔ユニットによって前記シーケンスのエレメントを受信する、前記エレメントがゼネラルページングメッセージか否かを決定する、前記エレメントがゼネラルページングメッセージでなければ、前記シーケンスに於いてゼネラルページングメッセージの後に前記エレメントが発生するか否かを更に決定する。
【００３４】
本発明の別の目的に従って、前記方法は更に以下を含む、前記エレメントがゼネラルページングメッセージであるとき、前記遠隔ユニットを非動作モードに遷移する。本発明の更に別の目的に従って、前記方法は更に含んでいる、前記エレメントが前記シーケンスに於いてゼネラルページングメッセージの後に発生するとき、前記遠隔ユニットを非動作に遷移する。
【００３５】
本発明の目的に従った遠隔ユニットは、以下を含む、基地局によって送信されたメッセージのシーケンスのエレメントを受信するために設定された受信器と、前記エレメントがゼネラルページングメッセージであるか否かを決定するために設定され、且つ前記エレメントがゼネラルページングメッセージでないとき、前記シーケンスにてゼネラルページングメッセージの後に発生するエレメントか否かを決定するために更に設定されたコントローラ。
【００３６】
本発明の別の目的に従って、前記コントローラは、前記エレメントがゼネラルページングメッセージであるとき、前記遠隔ユニットを非動作モードに遷移するために更に設定されたものである。本発明の更に別の目的に従って、前記コントローラは、前記エレメントが前記シーケンスに於いてゼネラルページングメッセージの後に発生するとき前記遠隔ユニットを非動作モードに遷移するために更に設定されたものである。
【００３７】
発明の詳細な説明
図４は、本発明の一実施の形態に従った遠隔ユニット４００のブロック図である。受信器４１０は、ページングチャネルメッセージを含むワイヤレスリンク信号を受信する。前記受信器４１０は、前記ワイヤレスリンク信号の応答及びダウンコンバージョンを提供すると共に、他の復調機能と同様に、ＣＤＭＡ環境に於ける逆拡散をも提供する。前記受信器４１０は、その出力デジタルで一連のデジタル値を提供する。
【００３８】
ＩＳ−９５等の周知のワイヤレスリンクプロトコルに従って、データが前記ワイヤレスリンクを通じて送信される前に、一連のブロックに分割される。前記ブロックオーダが前記ワイヤレスリンクを通じて送信されたようにノンタイムシーケンシャルであるような時間で前記ブロックは再オーダされる。ブロックを送信する方法はインターリービングと称され、前記ブロックを再オーダするプロセスはデインターリービングと称される。デインターリーバ４１１は、デインターリービング機能を実行する。前記デインターリーバ４１１は前記受信器４１０からサンプルを受信して一連のブロックデータを計算する。一連のブロック全体が受信されたとき、前記デインターリーバ４１１はタイムシーケンシャルオーダにて前記ブロックを再オーダし、復号器及びエラー検出モジュール４１２にそれらを出力する。
【００３９】
一実施の形態に於いて、前記復号器４１２は畳み込み復号器である。畳み込み復号器の１つの共通の形態は、ビルタービ（Ｖｉｒｔｅｒｂｉ）復号器である。ビルタービ（Ｖｉｒｔｅｒｂｉ）復号器は、データのグループに基づいてソフト判定データを作り出す。
【００４０】
復号器及びエラー検出モジュール４１２は、例えば、消失の形態に於いて、前記データビットを復号化してエラー検出を提供する。デジタルデータが前記復号器によって正確に受信されないときに消失が生じる。例えば、ビルタービ（Ｖｉｒｔｅｒｂｉ）復号器は、エラー検出と、最高確率意志決定データを決定することによる消失のハンドリングを提供する。
【００４１】
復号器バッファが十分なデータを含むとき、前記データはメッセージ解析器４１４に渡される。前記メッセージ解析器４１４は前記メッセージ内のビットのコレクション等の機能を実行し、巡回冗長コード（ＣＲＣ）または他のエラーチェッキングコードの何れかを計算して検証し、内部フォーマット中のメッセージの変換、バッファに前記変換したメッセージを複写し、且つ特有のプロトコルタスクのキュー上の変換されたメッセージの配置を実行する。前記メッセージは、フィールドずつ評価される。一般に、復号器４１２のプロセスとメッセージ解析器４１４は、コントローラ４１６によって制御される。
【００４２】
前記復号器４１２及び前記メッセージ解析器４１４を制御するのに加えて、前記コントローラ４１４は、例えばＲＡＭ、またはアプリケーションスペシフィックインテグレイテッドサーキット（Ａｐｐｌｉｃａｔｉｏｎ  Ｓｐｅｃｉｆｉｃ  Ｉｎｔｅｇｒａｔｅｄ  Ｃｉｒｃｕｉｔ）（ＡＳＩＣ）或いは他の適切な電子記憶装置等のメモリに記憶された検索リスト４２０とも関連しているものである。加えて、コントローラ４１６は検索エンジン４１８と関連している。前記コントローラ４１６は、前記検索エンジン４１８に検索パラメータを渡すことができる。前記検索エンジン４１８は、データ配列４２２と関連したものであり、前記データ配列４２２に検索結果を記憶することができる。前記データ配列は、メモリ内に位置することができる。前記コントローラ４１６はまた、前記データ配列４２２と関連しており、これにより、記憶された前記検索結果にアクセスする前記コントローラ４１６を提供する。一実施の形態に於いて、前記コントローラ４１６はマイクロプロセッサである。前記コントローラ４１６は、ＡＳＩＣ、フィールドプログラマブルゲート配列（Ｆｉｅｌｄ  Ｐｒｏｇｒａｍｍａｂｌｅ  Ｇａｔｅ  Ａｒｒａｙ）（ＦＰＧＡ）、分離したロジック、アナログ回路構成、或いは他の制御回路構成でも良い。前記コントローラ４１６及び検索エンジン４１８は、共に同じＡＳＩＣで組み立てることができる。加えて、前記検索リスト４２０及びデータ配列４２２は、同じ或いは異なったＡＳＩＣも含むことができる。前記遠隔ユニット４００に於けるハードウエアの構造は、ファームウエアを介して制御することができ、新たなファームウエアをダウンロードすることによって遠隔ユニットのフィールドアップグレードを許可する。
【００４３】
メッセージモニタ４２４は、前記コントローラ内に配置することができる。前記メッセージモニタ４２４は、受信されたメッセージの調査のために提供する。前記メッセージモニタ４２４は、受信されたメッセージが、割り当てられたスロットの期間受信されたメッセージのシーケンスに於いてエンプティゼネラルページングメッセージの後に発生するか否かを決定する。前記メッセージモニタ４２４は、前記受信されたメッセージのシーケンスに対応するメッセージタイプのハードワイヤードリストとすることができる。二者択一的に、前記メッセージモニタ４２４は、エンプティゼネラルページングメッセージの後に発生するメッセージタイプに対応するメッセージタイプのリストとすることができる。前記メッセージモニタ４２４は、前記コントローラ４１６で動作するソフトウエアまたはファームウエアとして実行することができ、或いはハードウエアとして実行することができる。前記メッセージモニタ４２４の動作は、以下により詳細に述べられる。
【００４４】
一般に、前記遠隔ユニット４００の動作は、前記コントローラ４１６を実行するソフトウエア及びハードウエアの設定によって制御される。前記ハードウエアの構造は、ファームウエア、ソフトウエア、配線の分離したデバイス、或いはそれら何れかの組合わせたものによって設けることができる。
【００４５】
図５は、図４に示された前記遠隔ユニット４００のような、スロッテッドモード通信システムに於ける遠隔ユニットの割り当てられたスロットで、非動作状態から動作状態への遷移を説明する代表的な図である。図５は、２つの分離した部分にて表された時系列を示している。上部５１は、左から右へ流れるスロットの連続的なシーケンスを表している。下部５３は、スロット５が割り当てられたスロットであるスロッテッドモード通信システムに於ける遠隔ユニットの動作と非動作状態間の遷移の間に発生するイベントを表している。低い部分のタイムスケールは、遷移をより詳細に示すことができるので拡大してある。
【００４６】
特に、図５の下部５３は、非動作状態５０から動作状態５２への遷移を示している。前記動作状態５２に於いて、前記遠隔ユニットはスロット５の少なくとも一部の中に基地局信号をモニタする。スロット５の開始より前に、前記遠隔ユニットは、前記非動作状態５０から動作状態５２へ遷移状態５４を介して遷移する。前述したように、前記非動作状態５０に於いて、前記遠隔ユニットの選択された回路構成はパワーがなく、パワー消費を低減すると共に前記遠隔ユニットのバッテリ寿命を延ばす。例えば、前記非動作状態５０の間前記検索エンジンからパワーを取り除くことができる。
【００４７】
遷移状態５４の期間、前記遠隔ユニットの選択された回路構成にパワーが再供給される。例えば、前記検索エンジン４１８がパワーがないと、前記遷移状態５４に於ける検索エンジン４１８にパワーが再供給される。前記遷移状態５４の存続期間は回路上のパワーに遠隔ユニットを許可するのに十分であり、前記遠隔ユニットが機能的であるために関数を初期化し、前記遷移状態５４のエンドで検索を実行するために許可する。
【００４８】
前記遷移状態５４に続いて、前記遠隔ユニットは動作状態５２に入る。前記動作状態５２は、２つのパーツ、準備期間５６と割り当てられたスロット期間５８とで作成される。準備期間５６の間、前記遠隔ユニットが割り当てられたスロット期間５８の間、ページングチャネルをモニタするために準備されるので、初期検索は好ましい基地局のパイロット信号を再び得ることが実行される。前記割り当てられたスロット期間５８の開始は、スロット５の開始と一致する。
【００４９】
一実施の形態に於いて、前記遠隔ユニットは、前記割り当てられたスロット期間５８に入った後のみ隣接する基地局からパイロット信号用のゼネラル検索を開始する。別の実施の形態に於いて、前記遠隔ユニットがまだ準備期間５６である期間、隣接する基地局からのパイロット信号用のゼネラル検索は、好ましい基地局を有した次の再取得及び配列に直ちに開始する。ゼネラル検索の間、前記遠隔ユニットは、前記好ましい基地局のパイロット信号の強度を計測するために継続することができる。
【００５０】
割り当てられたスロット期間５８の間、前記遠隔ユニットは前記好ましい基地局からの前記ページングチャネルのメッセージを受信する。名目上、スロット５の終了で、前記割り当てられたスロット期間５８及び動作状態５２は終了し、前記遠隔ユニットは非動作状態５０に入る。前記遠隔ユニットのパワー消費を更に減ずるために、前記基地局は、スロット５が終了する前に、非動作状態に入るために前記遠隔ユニットを指示しても良い。二者択一的に、前記基地局がスロット５の間メッセージの変換が終了できないと、前記基地局は、前記スロットの終了後、割り当てられたスロット期間５８に於いて残すために前記遠隔ユニットを命令を出しても良い。続いて、前記基地局は前記非動作状態５０に入るために前記遠隔ユニットに命令を出す。検索することは前記非動作状態５０に入るのを終了させ、前記検索エンジンからパワーが取り除かれる。
【００５１】
割り当てられたスロットの期間、前記基地局は一連のメッセージを送る。第１のメッセージタイプ、例えば、ＩＳ−９５に従って送る前記基地局は、スロットされたモードで動作する遠隔ユニットに対応する遠隔のユニット指向のメッセージである。ＩＳ−９５に於いて述べられたように、指向されたメッセージは、インディケイションチャレンジメッセージから外れた短縮された警告オーダと、基地局確認オーダと、他と同様のレジストレーション受け取りオーダとを含んでいる。一般に、前記指向されたメッセージは単一の遠隔ユニットに対応する情報を含んでいる。以下の指向されたメッセージで、前記遠隔ユニットはゼネラルページングメッセージを送る。前記ゼネラルページングメッセージは、現在のスロットに於いて動作及びスロットされたモードにて動作する遠隔ユニットに指向された全てのメッセージが送られたか否か、全ての放送メッセージが送られたか否か、そしてアドレスされる遠隔ユニットのクラス等の情報を伝える。前記ゼネラルページングメッセージは、特定の移動可能なユニットに指向されたサービスオプションリクエストと同様の放送情報を伝えても良い。
【００５２】
１つ以上のゼネラルページングメッセージの後、前記遠隔ユニットは、スロッテッドモードで動作する遠隔ユニットが、前記基地局と正反対に以前は指示された場合を除いて非動作状態に入っても良い、と表示するエンプティゼネラルページングメッセージを送る。
【００５３】
前記エンプティゼネラルページングメッセージに続いて、前記基地局は一連のオーバーヘッドメッセージを送っても良い。前記オーバーヘッドメッセージは、ＩＳ−９５にて述べられた他のものと同様に、アクセスパラメータメッセージ、ＣＤＭＡチャネルリストメッセージ、隣接メッセージ及びシステムパラメータメッセージを含む。加えて、前記エンプティゼネラルページングメッセージに続いて、前記基地局は、スロッテッドモードの動作でない遠隔ユニットによる受信を対象とした一連の指向されたメッセージを送っても良い例えば、前記システムの幾つかの遠隔ユニットは、一連の動作及び非動作状態を介して周期的よりむしろ持続的にページングチャネルをモニタしても良い。
【００５４】
前記オーバーヘッドメッセージの終了後、現在のタイムスロットにて付加的な時間が残ったならば、前記基地局は一連の無効なメッセージを送る。
【００５５】
前述したように、前記基地局は割り当てられたスロットの間、この一連のメッセージを送る。図６は、基地局から代表的なページングチャネル通信シーケンス６００を示した図である。前記シーケンス６００は、前記基地局によって送信された幾つかのエレメントのセットから構成される。図６に示されるように、前記基地局は、スロッテッドモードで動作する遠隔ユニットに、一連の指向されたメッセージ６１０Ａ−Ｎを、先ず送る。指向されたメッセージ６１０Ａ−Ｎに続いて、前記基地局はゼネラルページングメッセージ６１２を送る。二者択一的に、２つ以上のゼネラルページングメッセージを送ることができる。前記ゼネラルページングメッセージ６１２、すなわち最後のゼネラルページングメッセージは、２つ以上が送られると、前記基地局によって正反対に予め命令されるまで、非動作状態に入るためにスロッテッドモードの遠隔ユニットに命令を出す、或いは指示する。前記エンプティゼネラルページングメッセージ６１２に続いて、前記基地局は一連のオーバーヘッドメッセージ６１４Ａ−Ｎを送る。前記オーバーヘッドメッセージ６１４Ａ−Ｎに続いて、前記基地局は残りのスロットを満たすために一連の無効メッセージ６１６Ａ−Ｎを送る。故に、オーバーヘッドメッセージ６１４Ａ−Ｎ及び無効メッセージ６１６Ａ−Ｎは、割り当てられたスロットの間受信された一連のメッセージに於いて、ゼネラルページングメッセージまたは、２つ以上であれば最後のゼネラルページングメッセージの後にのみ発生する。
【００５６】
例えば、弱い信号対雑音比環境にて減少するように、前記ページングチャネルを正確に受信するためのその能力の環境に於いて遠隔ユニットが動作するとき、例えば、図４の復号器及びエラー検出モジュール４１２は正確に受信されないデータを破棄する。例えば、このような削除箇所を有したデータが前記メッセージ解析器４１４に渡ると、一連のメッセージの全てのエレメントは、発生されないか、或いは受信されないかもしれない。例えば、前記ゼネラルページングメッセージは正確に発生されないかもしれない。
【００５７】
図６を再び参照すると、弱い信号対雑音比環境で動作する遠隔ユニットは、前記指向されたメッセージ６１０Ａ−Ｎを受信し得るが、エンプティゼネラルページングメッセージ６１２を受信することができないかもしれない。前記遠隔ユニットは、前記オーバーヘッドメッセージ６１４Ａ−Ｎ及び前記割り当てられたスロットのエンドまでの無効メッセージ６１６Ａ−Ｎをモニタするために継続される。前記基地局によって正反対に指令が出される場合を除いては、前記遠隔ユニットは前記割り当てられたスロットのエンドで非動作状態に入る。このような場合、前記遠隔ユニットは前記エンプティゼネラルページングメッセージ６１２、故に不必要に破壊的なバッテリパワーを理解するメッセージを受信するために、不必要に動作状態に残る。故に、オーバーヘッドメッセージ６１４Ａ−Ｎ及び無効メッセージ６１６Ａ−Ｎをモニタすることによって、本発明は前記割り当てられたスロットのエンドを待つことなく非動作モードに安全に入ることができる。
【００５８】
図７は、本発明に従った遠隔ユニットの動作を示すフローチャートである。ブロック７１０に於いて、遠隔ユニットが図５に示される割り当てられたスロット期間５８に入る。ブロック７１２に於いて、前記遠隔ユニットがメッセージを受信する。例えば、図４に示される、前記メッセージ解析器４１４は、図６に示されるメッセージの１つに対応した情報を生成する。ブロック７１４に於いて、前記遠隔ユニットは、前記メッセージがエンプティゼネラルページングメッセージか、非動作状態５０に入るために前記遠隔ユニットに指令を出す他のゼネラルページングメッセージであるかを決定する。例えば、図４を参照すると、前記メッセージ解析器４１４は前記コントローラ４１６に前記メッセージを転送する。前記コントローラ４１６は、ゼネラルページングメッセージ、指向されたメッセージまたは他のメッセージタイプの何れかを決定するためにメモリに記憶された情報と前記メッセージを比較する。
【００５９】
前記メッセージが前記非動作状態５０に入るために前記遠隔ユニットに指令を出すエンプティゼネラルページングメッセージまたは他のメッセージであれば、前記遠隔ユニットは前記ゼネラルページングメッセージの指示に従うブロック７１６に進む。ブロック７１８に於いて、前記ゼネラルページングメッセージからの指示が終了した後、前記遠隔ユニットは非動作状態５０に入る。
【００６０】
再びブロック７１４を参照すると、前記メッセージがゼネラルページングメッセージでなければ、ブロック７２０に進む。ブロック７２０に於いて、前記遠隔ユニットはゼネラルページングメッセージの後にのみ続くタイプのメッセージであるか否かを決定する。例えば、図４に関連して前述したように、前記メッセージモニタ４２２は前記メッセージがオーバーヘッドメッセージか無効メッセージであるかを決定するためのメッセージ情報を調べる。前記メッセージモニタは、前記メッセージ情報がゼネラルページングメッセージの後にのみ続くメッセージタイプと一致することを決定し、前記遠隔ユニットは前記最後のゼネラルページングメッセージが前記基地局によって送られたと仮定することができ、それ故、前記割り当てられたスロットにて送信された何れかの付加的なメッセージは前記遠隔ユニットに関するものではない。それ故、前記メッセージがゼネラルページングメッセージの後にのみ続くタイプのものであれば、ブロック７１８に進んで、前記遠隔ユニットは非動作状態５０に入る。
【００６１】
再びブロック７２０を参照すると、前記メッセージが前記ゼネラルページングメッセージの前に送信され得るタイプのものであれば、ブロック７１２に進む。
【００６２】
検索プロセス、復調エレメント割り当て及び検索エンジンに関する更なる情報を見出すことができる。
【００６３】
（１）  ＭＥＴＨＯＤ  ＡＮＤ  ＡＰＰＡＲＡＴＵＳ  ＦＯＲ  ＰＥＲＦＯＲＭＩＮＧ  ＳＥＡＲＣＨ  ＡＣＱＵＩＳＩＴＩＯＮ  ＩＮ  Ａ  ＣＤＭＡ  ＣＯＭＭＵＮＩＣＡＴＩＯＮＳ  ＳＹＳＴＥＭと題された米国特許第５，６４４，５９１。
【００６４】
（２）  ＭＥＴＨＯＤ  ＡＮＤ  ＡＰＰＡＲＡＴＵＳ  ＦＯＲ  ＰＥＲＦＯＲＭＩＮＧ  ＳＥＡＲＣＨ  ＡＣＱＵＩＳＩＴＩＯＮ  ＩＮ  Ａ  ＣＤＭＡ  ＣＯＭＭＵＮＩＣＡＴＩＯＮＳ  ＳＹＳＴＥＭと題された米国特許第５，８０５，６４８。
【００６５】
（３）  ＭＥＴＨＯＤ  ＯＦ  ＳＥＡＲＣＨＩＮＧ  ＦＯＲ  Ａ  ＢＵＲＳＴＹ  ＳＩＧＮＡＬと題された米国特許第５，８６７，５２７及び第５，７１０，７６８。
【００６６】
（４）  ＭＯＢＩＬＥ  ＤＥＭＯＤＵＬＡＴＯＲ  ＡＲＣＨＩＴＥＣＴＵＲＥ  ＦＯＲ  Ａ  ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮ  ＳＹＳＴＥＭと題された米国特許第５，７６４，６８７。
【００６７】
（５）  ＰＩＬＯＴ  ＳＩＧＮＡＬ  ＳＥＡＲＣＨＩＮＧ  ＴＥＣＨＮＩＱＵＥ  ＦＯＲ  Ａ  ＣＥＬＬＵＬＡＲ  ＣＯＭＭＵＮＩＣＡＴＩＯＮＳ  ＳＹＳＴＥＭと題された米国特許第５，５７７，０２２。
【００６８】
（６）  ＣＥＬＬ  ＳＩＴＥ  ＤＥＭＯＤＵＬＡＴＩＯＮ  ＡＲＣＨＩＴＥＣＴＵＲＥ  ＦＯＲ  Ａ  ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮＳ  ＳＹＳＴＥＭと題された米国特許第５，６５４，９７９。
【００６９】
（７）  １９９７年１２月９日にファイルされた、ＭＵＬＴＩ  ＣＨＡＮＮＥＬ  ＤＥＭＯＤＵＬＡＴＯＲと題された出願番号０８／９８７，１７２。
【００７０】
（８）  １９９９年３月３１日にファイルされた、ＰＲＯＧＲＡＭＭＡＢＬＥ  ＭＡＴＣＨＥＤ  ＦＩＬＴＥＲ  ＳＥＡＲＣＨＥＲと題された出願番号０９／２８３，０１０。
【００７１】
その全体に於いて、その各々は譲受人により譲り受けられ、参考文献によりここに合同される。
【００７２】
以下の説明は、本発明の特定の実施の形態を詳述したものである。しかしながら、どんなに詳細に前述の記述があっても、本発明は本質的な特徴またはその精神から逸脱することなく他の特定の形態に於いて実施することができることが理解されるものである。詳述した実施の形態は図示されたもののみに全ての点で考えられるべきものであり、制限されないものであり、発明の範囲は、それ故、前述の説明によって、むしろ添付の特許請求の範囲により指示されたものである。全ての変更は、それらの範囲内に採用されるべく特許請求の範囲と同等の範囲及び意味にて生じる。
【図面の簡単な説明】
本発明の特徴、目的及び利益が、全体に渡って相応して識別するために参照文字に適した図面に関連して得られる以下に示される詳細な説明から、より明らかにされる。
【図１】  図１は、代表的な現代のワイヤレス通信システムを示した代表線図である。
【図２】  図２は、単一の基地局から遠隔ユニットに到着したパイロット信号のマルチ信号例の典型的なセットを示したグラフである。
【図３】  図３は、遠隔ユニットに到達するマルチ基地局からのパイロット信号のマルチ信号例の典型的なセットを示したグラフである。
【図４】  図４は、本発明の原則に従った遠隔ユニットの一実施の形態のブロック図である。
【図５】  図５は、スロッテッドモード通信システムに於ける遠隔ユニットの割り当てられたスロットでの非動作状態から動作状態への移行を説明する代表的な図である。
【図６】  図６は、基地局からの大費用的なページングチャネル送信を説明する代表的な図である。
【図７】  図７は本発明の一実施の形態の動作の方法を説明するフローチャートである。
【符号の説明】
１０Ａ  車、
１０Ｂ  ポータブルコンピュータ遠隔、
１０Ｃ  固定局ユニット、
１２  基地局、
１４  フォワードリンク、
１６  リバースリンク、
４００  遠隔ユニット、
４１０  受信器、
４１１  デインターリーバ、
４１２  復号器、
４１４  メッセージ解析器、
４１６  コントローラ、
４１８  検索エンジン、
４２０  検索リスト、
４２２  データ配列、
４２４  メッセージモニタ。
【図１】
0004741157.tif 000002
【図２】
0004741157.tif 000003
【図３】
0004741157.tif 000004
【図４】
0004741157.tif 000005
【図５】
0004741157.tif 000006
【図６】
0004741157.tif 000007
【図７】
0004741157.tif 000008